(57)【要約】【課題】雨水の貯留浸透と、歩道等における無電柱化の両方を実現する。【解決手段】地中に埋設される雨水貯留浸透槽（雨水浸透槽）２と、雨水貯留浸透槽２を貫通し、内部にケーブル類４を収容する管路材３とを備える雨水貯留浸透無電柱化システム１。雨水貯留浸透槽２は、歩道１１下に埋設してもよく、歩道１１には、透水性又は保水性のインターロッキングブロックを敷設することができる。雨水貯留浸透槽２の天井面に点検口８を備えてもよく、管路材３を地表付近に配設してもよい。【選択図】図１
2019035307.tif 000002
【特許請求の範囲】
【請求項１】
地中に埋設される雨水貯留浸透槽と、
該雨水貯留浸透槽を貫通し、内部にケーブル類を収容する管路材とを備えることを特徴とする雨水貯留浸透無電柱化システム。
【請求項２】
前記雨水貯留浸透槽は、歩道下に埋設されることを特徴とする請求項１に記載の雨水貯留浸透無電柱化システム。
【請求項３】
前記歩道には、透水性又は保水性のインターロッキングブロックが敷設されることを特徴とする請求項２に記載の雨水貯留浸透無電柱化システム。
【請求項４】
前記雨水貯留浸透槽の天井面に点検口を備えることを特徴とする請求項１、２又は３に記載の雨水貯留浸透無電柱化システム。
【請求項５】
前記管路材は、地表付近に配設されることを特徴とする請求項１乃至４のいずれかに記載の雨水貯留浸透無電柱化システム。
【発明の詳細な説明】
【技術分野】
【０００１】
本発明は、雨水の貯留浸透と、歩道等における無電柱化の両方を実現するシステムに関する。
【背景技術】
【０００２】
雨水貯留浸透施設は、集水した雨水の貯留空間として地中に構築される雨水貯留施設と、集水した雨水を地中で一時的に貯留した後、地中に緩やかに排出して分散浸透させる雨水浸透施設とを含む。この雨水貯留浸透施設は、雨水の有効利用を図ったり、雨水が河川や地下雨水管路網へ急激に流入することにより発生する都市型浸水災害を防止したり、地下水を涵養して地盤沈下を抑止するために地中に埋設される。
【０００３】
一方、景観の向上や、歩道等の有効幅員を広げることを目的として、電力用や、通信用のケーブル類を地中に埋設する無電柱化が進められている。しかし、地中には上水道管やガス管等が埋設されおり、ケーブル類の埋設スペースを確保することは容易ではない。
【０００４】
そこで、特許文献１には、ケーブル類の収納機能を有する側溝ブロックと、雨水を地中に浸透させる雨水浸透設備とを適切に組み合わせた雨水処理システムが開示されている。この雨水処理システムによれば、地中にケーブル類の埋設スペースを新たに確保しなくて済むという利点がある。
【先行技術文献】
【特許文献】
【０００５】
【特許文献１】特開２０１５−１０８２１９号公報
【発明の概要】
【発明が解決しようとする課題】
【０００６】
しかし、上記特許文献１に記載の雨水処理システムは、側溝ブロックにケーブル類を収納するため、側溝ブロックが存在しない場所には適用することができない。
【０００７】
そこで、本発明は、側溝ブロックが存在しなくとも、雨水の貯留浸透と、歩道等における無電柱化の両方を実現することを目的とする。
【課題を解決するための手段】
【０００８】
上記目的を達成するため、本発明の雨水貯留浸透無電柱化システムは、地中に埋設される雨水貯留浸透槽と、該雨水貯留浸透槽を貫通し、内部にケーブル類を収容する管路材とを備えることを特徴とする。ここで、ケーブル類とは、配電線や、光ファイバーケーブルを含む通信線等をいう。
【０００９】
本発明によれば、雨水貯留浸透槽を貫通する管路材の内部にケーブル類を収容することができるため、側溝ブロックが存在しない場所であっても、雨水の貯留浸透と、無電柱化の両方を実現することができる。
【００１０】
上記雨水貯留浸透無電柱化システムにおいて、前記雨水貯留浸透槽を歩道下に埋設することで、歩道下の空間を有効利用することができると共に、歩道における無電柱化を図ることができる。
【００１１】
前記歩道には、透水性又は保水性のインターロッキングブロックを敷設することができ、これによって、より効率よく雨水の貯留浸透を行うことができる。
【００１２】
前記雨水貯留浸透槽の天井面に点検口を備えることができ、雨水貯留浸透槽並びに管路材及びその内部のケーブル類の点検を容易に行うことができる。
【００１３】
前記管路材を地表付近に配設することで、ケーブル類及び管路材の設置に要するコストを低減すると共に、設置後の保守管理を容易に行うことができる。
【発明の効果】
【００１４】
以上のように、本発明によれば、雨水の貯留浸透と、歩道等における無電柱化の両方を同時に実現することができる。
【図面の簡単な説明】
【００１５】
【図１】本発明に係る雨水貯留浸透無電柱化システムの一実施の形態を示す部分断面平面図である。
【図２】図１に示した雨水貯留浸透無電柱化システムの縦断面図である。
【図３】図１に示した雨水貯留浸透無電柱化システムの一部破断透視図である。
【発明を実施するための形態】
【００１６】
次に、本発明を実施するための形態について、図面を参照しながら詳細に説明する。尚、以下の説明では、雨水浸透設備を用いた無電柱化システムについて説明する。
【００１７】
図１乃至図３は、本発明に係る雨水浸透無電柱化システム（以下「システム」と略称する）の一実施の形態を示し、このシステム１は、透水シート２ａで覆われた雨水浸透槽（以下「槽」と略称する）２と、槽２を貫通し、内部にケーブル類４を収容した管路材３と、雨水を集めて槽２へ浸透させる集水ます５と、雨水を槽２の側方から流入させる流入管６と、集水ます５に接続されるオーバーフロー式の流出管７と、槽２の上部に設けられる点検口８と、隣接する２つの槽２の間に設置される手孔９とを備える。
【００１８】
槽２は、歩道１１の下方に、プラスチック製の板状部材を複数組み立てて直方体状に形成され、天井面、側面及び底面には、多数の円形開口部が形成される。槽２は、図示例のものに限らず、一体型であってもよく、プラスチック以外の材料からなるものでもよい。
【００１９】
管路材３は、プラスチックや金属等で円筒状に形成され、内部に配電線、光ファイバーケーブルを含む通信線等のケーブル類４を収容するために設けられる。管路材３は、槽２の天井面に近い位置で槽２を貫通して手孔９に達する。歩道１１上の手孔９の近傍には、配電線のための変圧器１０が設けられる。
【００２０】
集水ます５、流入管６、流出管７及び点検口８は、一般的な槽２に設けられているものと同じものであって、詳細説明を省略する。点検口８は、槽２の天井部から槽２の上方の地表の間に配置される。
【００２１】
手孔９は、隣接する２つの槽２の間において、ケーブル類４を取り扱うために設けられる。ケーブル類４として配電線を管路材３の内部に収容した場合には、歩道１１上に配置した変圧器１０との接続作業が必要となるので手孔９を利用する。
【００２２】
図示を省略するが、歩道１１には、透水性のインターロッキングブロックが敷設されている。
【００２３】
上記構成を有するシステム１は、管路材３にケーブル類４を収容した後、槽２や手孔９を貫通させることで、歩道１１における無電柱化を図ることができる。
【００２４】
また、降雨の際には、流入管６や、歩道１１上の透水性のインターロッキングブロックを介して集水ます５から雨水を槽２に受け入れ、槽２において雨水を一旦貯留し、その後地中に徐々に浸透させる。これによって、下水道へ流入する雨水を減少させ、河川の氾濫等を防止することができる。大雨等により、槽２に流入する雨水の量が槽２の容量を超えた場合には、流出管７から雨水を流出させる。
【００２５】
透水性のインターロッキングブロックを設けたことで、歩道１１上での水たまりの発生を抑制し、歩道１１から集水ます５への雨水の排水を効率よく行うことができる。
【００２６】
また、槽２の天井面に点検口を設けたため、槽２の内部や、管路材３及びその内部のケーブル類４の点検を容易に行うことができる。
【００２７】
さらに、管路材３を槽２の天井面に近い位置、すなわち地表付近に配設することで、ケーブル類４及び管路材３の設置に要するコストを低減すると共に、これらを設置した後の保守管理を容易に行うことができる。
【００２８】
尚、上記実施の形態においては、雨水浸透設備を用いた無電柱化システムについて説明したが、雨水浸透設備に代えて雨水貯留設備を設置し、雨水貯留槽を遮水シートで覆い、雨水の貯留と、無電柱化を同時に達成することもできる。
【００２９】
また、雨水貯留浸透設備の設置場所は、歩道１１の下方に限らず、その他無電柱化を図りたい場所であれば、すべての場所が対象となる。
【００３０】
さらに、透水性のインターロッキングブロックに代えて、保水性のインターロッキングブロックを用いて歩道１１の温度上昇を防ぐようにしてもよい。
【００３１】
上記実施の形態は、本発明の実現手段としての一例であり、本発明は、その趣旨を逸脱しない範囲で上記実施の形態を修正又は変形したものに適用可能である。
【符号の説明】
【００３２】
１  雨水浸透無電柱化システム
２  雨水浸透槽
２ａ  透水シート
３  管路材
４  ケーブル類
５  集水ます
６  流入管
７  流出管
８  点検口
９  手孔
１０  変圧器
１１  歩道
【図１】
2019035307.tif 000003
【図２】
2019035307.tif 000004
【図３】
2019035307.tif 000005